(57)【要約】【課題】簡単な構成で、自動化機器１ごとや記憶装置３ごと盗難にあったときでも機密情報を読み取られることがなく、複雑な手順を要することなく記憶装置３の交換などの保守を行うことができるようにする。【解決手段】記憶装置３を備え当該記憶装置３の情報に基づき所定の媒体を取扱う自動化機器１であって、前記自動化機器１を固定するアンカーボルト６に固定した固定部材７を備え、前記自動化機器１を強制的に持ち上げたときに、前記記憶装置３が前記固定部材７により物理的に破壊されるようにした。【選択図】図１
2011257991.tif 000002
【特許請求の範囲】
【請求項１】
記憶装置を備え当該記憶装置の情報に基づき所定の媒体を取扱う自動化機器であって、
前記自動化機器を固定するアンカーボルトに固定された固定部材を備え、
前記自動化機器を強制的に持ち上げたときに、前記記憶装置が前記固定部材により物理的に破壊されるようにしたことを特徴とする自動化機器。
【請求項２】
前記記憶装置はハードディスクであって、
前記固定部材の端部に破壊部材を備え、
当該破壊部材が、前記ハードディスクの窓に貼付したシールの上部に位置するようにしたことを特徴とする請求項１記載の自動化機器。
【請求項３】
記憶装置を備え当該記憶装置の情報に基づき所定の媒体を取扱う自動化機器であって、
前記アンカーボルト近傍の前記自動化機器底部に、当該アンカーボルトに固定した剥離部を備え、
前記自動化機器を強制的に持ち上げたときに、前記剥離部とともに前記記憶装置が設置床に残されるようにしたことを特徴とする自動化機器。
【請求項４】
前記自動化機器を固定するアンカーボルトに固定され、前記記憶装置を固定する固定部材を備え、
前記剥離部は、前記固定部材を固定するようにしたことを特徴とする請求項３記載の自動化機器。
【請求項５】
前記剥離部は、前記記憶装置を固定するようにしたことを特徴とする請求項３記載の自動化機器。
【発明の詳細な説明】
【技術分野】
【０００１】
本発明は、現金自動預払機や自動発券機などの自動化機器が盗難されたときであっても、記憶装置に格納された情報漏洩を確実に防止する技術に関するものである。
【背景技術】
【０００２】
一般に、現金自動預払機や自動発券機などの自動化機器においては、個人情報や認証用のデータなどの機密性の高い情報（以下、「機密情報」という）が記憶装置に記憶されており、この自動化機器が装置ごと盗難され、筐体の開放や破壊などのタンパ行為により記憶装置に記憶された情報を読み出され、悪用されるおそれがある。
【０００３】
このため、従来の自動化機器においては、機密情報を暗号化して格納したり、耐タンパ性を物理的に向上する方法として、記憶装置を覆うように設けた配線パタンの遮断や電池の取外しによる電圧の変化を検知し、盗難があったと判断したときにメモリへの電源を遮断して機密情報を消去する技術はあった（例えば、特許文献１参照）。
【先行技術文献】
【特許文献】
【０００４】
【特許文献１】特開２００８−３３５９４号公報
【発明の概要】
【発明が解決しようとする課題】
【０００５】
しかしながら、上記従来の自動化機器では、盗難を検知するために複雑な監視回路を必要とし、また、自動化機器ごとや記憶装置ごと盗難にあったときは、機密情報を消去することができず機密情報を読み取られてしまうおそれがあった。
【０００６】
また、保守時等において記憶装置を交換する際、複雑な手順により取り外しを行わないと、重要なデータが消去されてしまうため、保守性が悪くなるという問題もあった。
【課題を解決するための手段】
【０００７】
本発明は、前述の課題を解決するため次の構成を採用する。すなわち、記憶装置を備え当該記憶装置の情報に基づき所定の媒体を取扱う自動化機器であって、前記自動化機器を固定するアンカーボルトに固定された固定部材を備え、前記自動化機器を強制的に持ち上げたときに、前記固定部材により前記記憶装置が物理的に破壊されるようにした。
【発明の効果】
【０００８】
本発明の自動化機器によれば、記憶装置を備え当該記憶装置の情報に基づき所定の媒体を取扱う自動化機器であって、前記自動化機器を固定するアンカーボルトに固定された固定部材を備え、前記自動化機器を強制的に持ち上げたときに、前記固定部材により前記記憶装置が物理的に破壊されるようにしたので、簡単な構成で、自動化機器ごとや記憶装置ごと盗難にあったときでも機密情報を読み取られることがなく、複雑な手順を要することなく記憶装置の交換などの保守を行うこともできる。
【図面の簡単な説明】
【０００９】
【図１】実施例１の自動化機器の構成および動作説明図である。
【図２】実施例２の自動化機器の構成および動作説明図である。
【図３】実施例３の自動化機器の構成および動作説明図である。
【発明を実施するための形態】
【００１０】
以下、本発明に係わる実施の形態例を、図面を用いて説明する。図面に共通する要素には同一の符号を付す。なお、以下の実施例の説明では、不揮発性記憶部としてハードディスクを備えた記憶装置を例として説明するが、フラッシュメモリや光ディスクなどの不揮発性の記憶部を備えた記憶装置であってもよいし、ＲＡＭなどの揮発性の記憶部を備えた記憶装置であってもよい。
【実施例１】
【００１１】
（構成）
図１は、実施例１の自動化機器の構成図である。同図に示したように、実施例１の自動化機器１は、自動化機器１の制御を行う制御部２と、機密情報等を記憶する記憶装置３と、自動化機器を設置床５に固定するアンカーボルト６と、当該アンカーボルト６に連結され上端に記憶装置を物理的に破壊できる高硬度の材料からなる先の尖った破壊部材７ａを備えた固定部材７と、からなる。
【００１２】
なお、記憶装置３のハードディスクには、通常、無塵室にて内部のディスクの一部が参照可能なように所定の窓が設けられ、当該窓にはシール３ａが貼付されるようになっている。
【００１３】
そして、同図ａ部に示したように、破壊部材７ａが記憶装置３の前記シール３ａの上部に配置されている。
【００１４】
（動作）
以上の構成により実施例１の自動化機器は、以下のように動作する。この動作を前述の図１を用いて以下詳細に説明する。
【００１５】
まず、自動化機器１を設置するときは、図１（ａ）のように、自動化機器１をアンカーボルト６により設置床５に固定し、アンカーボルト６に固定部材７を取り付ける。このとき、固定部材７の上端に備えられた破壊部材７ａが記憶装置３の前記シール３ａの上部に配置するように取り付ける。
【００１６】
そして、自動化機器１が盗難される場合は、図１（ｂ）のように、自動化機器１がジャッキ等により矢印Ａ方向に持ち上げられ、固定部材７の上端に備えられた破壊部材７ａが記憶装置３の前記シール３ａを突き破り、さらに持ち上げられると破壊部材７ａにより内部のディスクが割れて破壊し、再びデータを読み出すことはできなくなる。
【００１７】
なお、記憶装置３が、フラッシュメモリや光ディスクなどの不揮発性の記憶部を備えた記憶装置や、ＲＡＭなどの揮発性の記憶部を備えた記憶装置のときも、当該記憶部の上部に破壊部材７ａを配置し自動化機器を強制的に持ち上げたときに破壊部材７ａにてメモリＩＣを破壊したり、ディスク表面に傷をつけるなどして破壊するようにすればよい。
【００１８】
（実施例１の効果）
以上のように実施例１の自動化機器によれば、自動化機器を固定するアンカーボルトに固定された固定部材の上端に破壊部材を備え、当該破壊部材が記憶装置の窓に貼付されたシールの上部に位置するようにし、前記自動化機器を強制的に持ち上げたときに、前記記憶装置が前記破壊部材により物理的に破壊されるようにしたので、簡単な構成で、自動化機器ごとや記憶装置ごと盗難にあったときでも機密情報を読み取られることがなく、複雑な手順を要することなく記憶装置の保守を行うこともできる。
【実施例２】
【００１９】
（構成）
図２は、実施例２の自動化機器の構成図である。同図に示したように、実施例２の自動化機器１では、自動化機器１を設置床５に固定するアンカーボルト６に記憶装置３を固定する固定部材７を連結した構成とし、さらに、アンカーボルト６が備えられる自動化機器１の底部には、所定の外力により自動化機器１の底部から剥離する剥離部８を備え、当該剥離部８に固定部材７が固定された構成となっている。その他の構成は実施例１の自動化機器の構成と同様であるので簡略化のためにその詳細な説明は省略する。
【００２０】
（動作）
以上の構成により実施例２の自動化機器は、以下のように動作する。この動作を前述の図２を用いて以下詳細に説明する。
【００２１】
まず、自動化機器１を設置するときは、図２（ａ）のように、自動化機器１をアンカーボルト６により設置床５に固定し、アンカーボルト６に固定部材７を取り付ける。このとき、固定部材７にて記憶装置３を固定する。
【００２２】
そして、自動化機器１が盗難される場合は、図２（ｂ）のように、自動化機器１がジャッキ等により矢印Ａ方向に持ち上げられ、剥離部８に所定の外力以上の力が加わって固定部材７とともに剥離部８が剥がれ、固定部材７に固定された記憶装置３も固定部材７とともに設置床５に残る。
【００２３】
（実施例２の効果）
以上のように実施例２の自動化機器によれば、自動化機器を固定するアンカーボルトに固定され記憶装置を固定する固定部材と、前記アンカーボルト近傍の前記自動化機器底部に、当該アンカーボルトに固定した剥離部を備え、前記自動化機器を強制的に持ち上げたときに、前記剥離部とともに前記固定部材および前記記憶装置が設置床に残されるようにしたので、実施例１の効果に加え、記憶装置を破壊することなく機密情報を保護することができる。
【実施例３】
【００２４】
（構成）
図３は、実施例３の自動化機器の構成図である。同図に示したように、実施例３の自動化機器１では、自動化機器１を設置床５に固定するアンカーボルト６に固定された剥離部８が備えられ、当該剥離部８に記憶装置３が固定された構成となっている。その他の構成は実施例１の自動化機器の構成と同様であるので簡略化のためにその詳細な説明は省略する。
【００２５】
（動作）
以上の構成により実施例３の自動化機器は、以下のように動作する。この動作を前述の図３を用いて以下詳細に説明する。
【００２６】
まず、自動化機器１を設置するときは、図３（ａ）のように、自動化機器１をアンカーボルト６により設置床５に固定し、アンカーボルト６に固定された剥離部８の上に記憶装置３を固定する。
【００２７】
そして、自動化機器１が盗難される場合は、図２（ｂ）のように、自動化機器１がジャッキ等により矢印Ａ方向に持ち上げられ、アンカーボルト６に固定された剥離部８に所定の外力以上の力が加わって剥離部８が剥がれ、剥離部８に固定された記憶装置３は剥離部８とともに設置床５に残る。
【００２８】
（実施例３の効果）
以上のように実施例３の自動化機器によれば、アンカーボルト近傍の前記自動化機器底部に当該アンカーボルトに固定されその上部に記憶装置を固定する剥離部を備え、前記自動化機器を強制的に持ち上げたときに、前記剥離部とともに前記記憶装置が設置床に残されるようにしたので、実施例２と同様、実施例１の効果に加えて記憶装置を破壊することなく機密情報を保護することができる。
【産業上の利用可能性】
【００２９】
以上述べたように、本発明は、構外などに設置され機密情報を記憶する記憶装置を備えた自動化機器等に広く用いることができる。
【符号の説明】
【００３０】
１    自動化機器
２    制御部
３    記憶装置
５    設置床
６    アンカーボルト
７    固定部材
７ａ  破壊部材
８    剥離部
【図１】
2011257991.tif 000003
【図２】
2011257991.tif 000004
【図３】
2011257991.tif 000005